(57)【特許請求の範囲】
【請求項１】
通信ネットワークを構成する伝送装置であって、
受信した第一のリンクトレースフレームを目標の伝送装置に転送する転送対象ポートが経路冗長構成であるとき、前記第一のリンクトレースフレームを冗長構成の運用系経路ポートから転送し、固有の識別子により前記第一のリンクトレースフレームと区別可能な第二のリンクトレースフレームを冗長構成の予備系経路に対応するポートから転送するリンクトレースフレーム転送部と、
前記第一のリンクトレースフレームを受信したとき、前記第一のリンクトレースフレームに対する第一のリンクトレース応答フレームを前記第一のリンクトレースフレームの送信元である起点の伝送装置に送信し、前記第二のリンクトレースフレームを受信したとき、固有の識別子により前記第一のリンクトレース応答フレームと区別可能な第二のリンクトレース応答フレームを前記起点の伝送装置に送信するリンクトレース応答フレーム送信部と、
を有することを特徴とする伝送装置。
【請求項２】
請求項１記載の伝送装置において、
前記第二のリンクトレースフレーム及び前記第二のリンクトレース応答フレームそれぞれは、複数の予備系経路を区別する識別子を含む
ことを特徴とする伝送装置。
【請求項３】
請求項２記載の伝送装置において、
第二のリンクトレースフレームの受信ポートが冗長構成であるとき、受信した前記第二のリンクトレースフレームを廃棄するリンクトレースフレーム廃棄部を有し、
前記リンクトレースフレーム転送部は、受信した前記第一のリンクトレースフレームを、目標の伝送装置に転送する転送対象ポートから転送する
ことを特徴とする伝送装置。
【請求項４】
請求項３記載の伝送装置において、
前記リンクトレースフレーム転送部の活性又は非活性を制御する活性制御部、
を有することを特徴とする伝送装置。
【請求項５】
請求項１乃至４のいずれか１項記載の伝送装置において、
前記起点の伝送装置は、受信した前記第一のリンクトレース応答フレームと前記第二のリンクトレース応答フレームを区別して受信順にユーザに通知する通知部、
を有することを特徴とする伝送装置。
【請求項６】
経路冗長がとられた通信ネットワーク上で、起点の伝送装置から目標の伝送装置まで第一のリンクトレースフレームを運用系経路に転送し、前記第一のリンクトレースフレームを受信した伝送装置から前記起点の伝送装置にリンクトレース応答フレームを送信して通信ネットワークの通信経路を確認する通信経路確認方法であって、
固有の識別子により前記第一のリンクトレースフレームと区別可能な第二のリンクトレースフレームを予備系経路に転送し、
前記第一のリンクトレースフレームを受信した伝送装置から前記第一のリンクトレースフレームに対する第一のリンクトレース応答フレームを前記起点の伝送装置に送信し、
前記第二のリンクトレースフレームを受信した伝送装置から前記起点の伝送装置に固有の識別子により前記第一のリンクトレース応答フレームと区別可能な第二のリンクトレース応答フレームを送信する
ことを特徴とする通信経路確認方法。
【請求項７】
請求項６記載の通信経路確認方法において、
前記第二のリンクトレースフレーム及び前記第二のリンクトレース応答フレームそれぞれは、複数の予備経路を区別する識別子を含む
ことを特徴とする通信経路確認方法。
【請求項８】
請求項６又は７記載の通信経路確認方法において、
前記起点の伝送装置は、受信した前記第一のリンクトレース応答フレームと前記第二のリンクトレース応答フレームを区別して受信順にユーザに通知する
ことを特徴とする通信経路確認方法。
【発明の詳細な説明】
【技術分野】
【０００１】
本発明は、通信ネットワークの通信経路確認方法及び伝送装置に関する。
【背景技術】
【０００２】
イーサネット（登録商標）網の保守や管理を行う機能として、ＥｔｈｅｒＯＡＭ（ｏｐｅｒａｔｉｏｎ，  ａｄｍｉｎｉｓｔｒａｔｉｏｎ，  ｍａｎａｇｅｍｅｎｔ）という規格が、ＩＴＵ−ＴではＹ．１７３１として、ＩＥＥＥでは８０２．１ａｇとして規定されている。このＥｔｈｅｒＯＡＭには、ネットワークの障害管理に用いる機能の一つとしてリンクトレース（ｌｉｎｋ  ｔｒａｃｅ）機能がある。
【０００３】
リンクトレース機能では、通信ネットワーク上に存在する通信伝送装置間でトレース要求フレームであるＬＴＭ（Ｌｉｎｋ  Ｔｒａｃｅ  Ｍｅｓｓａｇｅ）フレームと、リンクトレース応答フレームであるＬＴＲ（Ｌｉｎｋ  Ｔｒａｃｅ  Ｒｅｐｌｙ）フレームをやりとりすることで通信伝送装置間での通信経路確認及び障害時の故障箇所切り分けを可能としている。
【０００４】
図１に示す通信ネットワークで、伝送装置３０，伝送装置４０，伝送装置５０−１，伝送装置５０−２，伝送装置５０−３，伝送装置７０，伝送装置８０のルートで主信号疎通状態であり、伝送装置４０はポート３、伝送装置５０−１，５０−２，５０−３はポート２、伝送装置７０はポート１で伝送装置８０のＭＡＣアドレスを学習済であることを前提条件とする。
【０００５】
図１において、伝送装置３０から伝送装置８０へリンクトレースを実施した場合、ＬＴＭフレームを送信する伝送装置３０はターゲットとなる伝送装置８０のＭＡＣアドレスを指定してＬＴＭフレームを送信する。中間の伝送装置はターゲット伝送装置８０のＭＡＣアドレスを学習している場合には学習しているポートに対してのみＬＴＭフレームを転送すると共に、送信元伝送装置３０に対してＬＴＲフレームを返信し、ターゲット伝送装置８０のＭＡＣアドレスを学習していない場合には送信元伝送装置３０へのＬＴＲフレーム返信を行わず、フラッディング対象となる全ポートに対してＬＴＭフレームを転送する。
【０００６】
上記の動作をターゲットとなる伝送装置８０まで繰り返すことで伝送装置３０は伝送装置４０，５０−１，５０−２，５０−３，Ｅ，ＦからのＬＴＲフレームを順に受信し、伝送装置８０までの通信経路を確認することが可能となる。
【０００７】
次に、図２に示すように、伝送装置５０−２，伝送装置５０−３間で障害が発生し、伝送装置３０，伝送装置４０，伝送装置５０−１，伝送装置５０−２間のルートと、伝送装置５０−３，伝送装置７０，伝送装置８０間のルートでのみ主信号疎通状態であり、伝送装置４０はポート３、伝送装置５０−１，５０−２，５０−３はポート２、伝送装置７０はポート１で伝送装置８０のＭＡＣを学習済であることを前提条件とする。
【０００８】
図２において、伝送装置３０から伝送装置８０へリンクトレースを実施した場合、伝送装置３０は伝送装置４０，５０−１，５０−２からしかＬＴＲフレームを受信できないことから伝送装置５０−２以降の経路で障害が発生していることを特定することができる。さらに伝送装置８０から伝送装置３０にリンクトレースを実施することで伝送装置８０は伝送装置５０−３以降の経路で障害が発生していることを特定することができ、先の伝送装置３０から伝送装置８０へのリンクトレース実施結果と合わせて伝送装置５０−２，伝送装置５０−３間で障害が発生していることを特定することができる。
【０００９】
なお、リンクトレース機能を用いて、障害により削除されたＭＡＣ学習テーブルを保存したテーブルのポートに従いリンクトレース信号を送受信することにより、障害箇所を特定可能する技術が知られている（例えば特許文献１参照）。
【先行技術文献】
【特許文献】
【００１０】
【特許文献１】特開２００８−１７２２９２号公報
【発明の概要】
【発明が解決しようとする課題】
【００１１】
通信ネットワークでは図３に示すように障害発生に備え、経路冗長構成をとる場合が多い。図３では伝送装置４０，伝送装置７０間でＥｔｈｅｒＯＡＭ  ＣＣ（Ｃｏｎｔｉｎｕｉｔｙ  Ｃｈｅｃｋ）機能等を用いてエンド・ツー・エンド間での経路冗長構成がとられている。障害発生状況により、第１経路（伝送装置３０，伝送装置４０，伝送装置５０−１，伝送装置５０−２，伝送装置５０−３，伝送装置７０，伝送装置８０）と、第２経路（伝送装置３０，伝送装置４０，伝送装置６０−１，伝送装置６０−２，伝送装置６０−３，伝送装置７０，伝送装置８０）の２通りの通信経路を切り替えることができるネットワークとする（以降、実際に運用している経路を運用系経路、運用系経路の障害発生時に切り替わる経路を予備系経路と表現する）。
【００１２】
このような経路冗長がとられた通信ネットワーク上でもリンクトレースを実施することで図４に示すように運用系経路の確認が可能である。しかしながら、経路冗長がとられたネットワークで図５のように障害発生により運用系経路から予備系経路への経路切替えが行われた場合、経路冗長機能を実現しているエンド伝送装置（伝送装置４０、伝送装置７０）における切替Ｔｒａｐや、ＬＯＣ（Ｌｏｓｓ  ｏｆ  Ｃｏｎｔｉｎｕｉｔｙ）検出Ｔｒａｐ等で伝送装置４０，伝送装置５０−１，伝送装置５０−２，伝送装置５０−３，伝送装置７０間のどこかで障害が発生したことは確認できるが、実際の故障区間は不明となる。
【００１３】
また、この状態で図６に示すように、伝送装置３０，伝送装置８０間でリンクトレースを実施したとしても、切替後の通信経路でＭＡＣ再学習が行われているため、予備系経路（伝送装置３０，伝送装置４０，伝送装置６０−１，伝送装置６０−２，伝送装置６０−３，伝送装置７０，伝送装置８０）の経路情報しか取得できず、故障区間（伝送装置５０−２，伝送装置５０−３間）の特定はできない。このように標準化のリンクトレース機能だけでは、経路冗長により通信が復旧した場合はＭＡＣ学習情報が変わってしまい故障区間の特定ができないという問題があった。
【００１４】
開示の伝送装置は、経路冗長がとられた通信ネットワークの通信経路を確認できることを目的とする。
【課題を解決するための手段】
【００１５】
開示の一実施形態による伝送装置は、通信ネットワークを構成する伝送装置であって、
受信した第一のリンクトレースフレームを目標の伝送装置に転送する転送対象ポートが経路冗長構成であるとき、前記第一のリンクトレースフレームを冗長構成の運用系経路ポートから転送し、固有の識別子により前記第一のリンクトレースフレームと区別可能な第二のリンクトレースフレームを冗長構成の予備系経路に対応するポートから転送するリンクトレースフレーム転送部と、
前記第一のリンクトレースフレームを受信したとき、前記第一のリンクトレースフレームに対する第一のリンクトレース応答フレームを前記第一のリンクトレースフレームの送信元である起点の伝送装置に送信し、前記第二のリンクトレースフレームを受信したとき、固有の識別子により前記第一のリンクトレース応答フレームと区別可能な第二のリンクトレース応答フレームを前記起点の伝送装置に送信するリンクトレース応答フレーム送信部と、を有する。
【発明の効果】
【００１６】
本実施形態によれば、経路冗長がとられた通信ネットワークの通信経路を確認することができる。
【図面の簡単な説明】
【００１７】
【図１】通信ネットワークの一例の構成図である。
【図２】障害発生時の通信ネットワークの一例の構成図である。
【図３】通信ネットワークの一実施形態の構成図である。
【図４】通信ネットワークのリンクトレースを説明するための図である。
【図５】通信ネットワークの経路切替えを説明するための図である。
【図６】通信ネットワークの経路切替え後のリンクトレースを説明するための図である。
【図７】伝送装置の一実施形態の構成図である。
【図８】第２ＬＴＭフレームフォーマットである。
【図９】第２ＬＴＲフレームフォーマットである。
【図１０】第２ＬＴＭ送信機能の活性又は非活性処理のフローチャートである。
【図１１】ＬＴＭ送信処理のフローチャートである。
【図１２】ＬＴＭ受信処理のフローチャートである。
【図１３】ＬＴＭ受信処理のフローチャートである。
【図１４】通信ネットワークの経路切替え後のリンクトレースを説明するための図である。
【図１５】障害回復後の通信ネットワークのリンクトレースを説明するための図である。
【図１６】Ｎ経路冗長構成の通信ネットワークのリンクトレースを説明するための図である。
【発明を実施するための形態】
【００１８】
以下、図面に基づいて実施形態を説明する。
【００１９】
＜伝送装置の構成＞
図７は伝送装置の一実施形態の構成図を示す。図７において、伝送装置はファームウェア部１０と、ハードウェア部２０を有している。ファームウェア部１０内の外部コマンド受付部１１はＬＡＮやＲＳ２３２Ｃ等によりユーザからの外部コマンドを受信して外部コマンド処理部１２に供給する。また、外部コマンド受付部１１は外部コマンド処理部１２から供給される通常及び第２ＬＴＲ受信結果をユーザに通知する。この通常及び第２ＬＴＲ受信結果は、通常ＬＴＲと第２ＬＴＲとを区別してユーザに通知する。
【００２０】
外部コマンド処理部１２は、ユーザからの外部コマンドを適切な機能ブロックに振り分ける。すなわち、外部コマンド処理部１２は冗長構成構築依頼を冗長切替制御部１３に供給し、ＬＴＭ送信依頼をＥｔｈｅｒＯＡＭ制御部１４に供給すると共に、第２ＬＴＭ送信機能活性又は非活性依頼をＥｔｈｅｒＯＡＭ制御部１４に供給する。また、外部コマンド処理部１２はＥｔｈｅｒＯＡＭ制御部１４から通常及び第２ＬＴＲ受信結果を供給される。
【００２１】
冗長切替制御部１３は冗長構成情報格納部１３ａを有しており、冗長切替え全般を制御する。すなわち、冗長切替制御部１３は外部コマンド処理部１２から冗長構成構築依頼を供給され、ＥｔｈｅｒＯＡＭ制御部１４から冗長構成情報の読み出しを行われ、警報監視部１５から警報発生又は回復通知を供給される。また、冗長切替制御部１３はハードウェア部２０に対し冗長構成構築指示を供給する。
【００２２】
ＥｔｈｅｒＯＡＭ制御部１４は第２ＬＴＭ活性状態情報格納部１４ａを有しており、ＥｔｈｅｒＯＡＭ処理全般を制御する。すなわち、ＥｔｈｅｒＯＡＭ制御部１４はハードウェア部２０に対しＬＴＭ送信指示，ＬＴＲ送信指示，第２ＬＴＭ送信指示，第２ＬＴＲ送信指示を行い、ＭＡＣ学習情報読み出しを行う。ＥｔｈｅｒＯＡＭ制御部１４はハードウェア部２０からＯＡＭフレーム受信通知を供給される。
【００２３】
警報監視部１５は伝送装置内の警報全般を監視制御する。すなわち、警報監視部１５はハードウェア部２０から警報発生又は回復通知を供給され、この警報発生又は回復通知を冗長切替制御部１３に供給する。
【００２４】
ハードウェア部２０は複数のポートを有し、各ポートには伝送路が接続されている。また、ハードウェア部２０はＭＡＣ学習情報テーブル２０ａを有している。
【００２５】
上記伝送装置は予備系経路にも通常のＬＴＭフレームと区別可能な特殊な第２ＬＴＭフレームを送信し、第２ＬＴＭフレームを受信した伝送装置は通常ＬＴＭフレーム受信時動作とは異なり、ターゲット伝送装置のＭＡＣ学習状態によらずＬＴＭ送信元伝送装置に通常のＬＴＲフレームと区別可能な第２ＬＴＲフレームを返信する。
【００２６】
図８（Ａ）にＩＴＵ−ＴのＹ．１７３１で規定された標準ＬＴＭフレームフォーマットを示し、図８（Ｂ）に本実施形態で使用する特殊な第２ＬＴＭフレームフォーマットの一実施形態を示す。図８（Ａ）では、送信先アドレス（ＤＡ）、送信元アドレス（ＳＡ）、ＶＬＡＮヘッダ、イーサタイプ（ＥｔｈｅｒＯＡＭ）、ＭＥＬ（Ｍａｉｎｔｅｎａｎｃｅ  Ｅｎｔｉｔｙ  ｇｒｏｕｐ  Ｌｅｖｅｌ）、バージョン、オペレーションコード（ＬＴＭ＝０ｘ０５）、フラグス（＝０ｘ００）、ＴＶＬオフセット（＝０ｘ１１）、トランザクションＩＤ、ＴＴＬ、オリジンＭＡＣアドレス（リンクトレースの起点の伝送装置アドレス）、ターゲットオリジナルＭＡＣアドレス（リンクトレースの目標の伝送装置アドレス）、エンドＴＬＶ（＝０ｘ００）の後は、ＰＡＤ（全０ｘ００）とされている。
【００２７】
図８（Ｂ）ではエンドＴＬＶ（＝０ｘ００）の後の４５オクテット目に、第２ＬＴＭフレームを識別するため１オクテット長の予備系ＬＴＭ識別子を用意し、０ｘ００の場合は通常のＬＴＭフレーム、０ｘＦＦの場合は第２ＬＴＭフレームと判断する。また、１：Ｎ経路冗長ネットワークのように予備系経路が複数経路存在するネットワークで各々の予備系経路を識別するため、４６オクテット目に１オクテット長の予備系経路識別子を用意し予備系経路毎に異なる値を付与することで各々の予備系経路を識別する。これはあくまで一例であり、通常のＬＴＭフレームと第２ＬＴＭフレームの識別方法、及び予備系経路が複数存在するネットワークでの予備経路識別方法を限定するものではない。
【００２８】
図９（Ａ）にＩＴＵ−ＴのＹ．１７３１で規定された標準ＬＴＲフレームフォーマットを示し、図９（Ｂ）に本実施形態で使用する特殊な第２ＬＴＲフレームフォーマットの一実施形態を示す。図９（Ａ）では、送信先アドレス（ＤＡ）、送信元アドレス（ＳＡ）、ＶＬＡＮヘッダ、イーサタイプ（ＥｔｈｅｒＯＡＭ）、ＭＥＬ（Ｍａｉｎｔｅｎａｎｃｅ  Ｅｎｔｉｔｙ  ｇｒｏｕｐ  Ｌｅｖｅｌ）、バージョン、オペレーションコード（ＬＴＭ＝０ｘ０４）、フラグス（＝０ｘ００）、ＴＶＬオフセット（＝０ｘ０６）、トランザクションＩＤ、ＴＴＬ、リレーアクション、エンドＴＬＶ（＝０ｘ００）の後は、ＰＡＤ（全０ｘ００）とされている。
【００２９】
図９（Ｂ）ではエンドＴＬＶ（＝０ｘ００）の後の３０オクテット目に、第２ＬＴＲフレームを識別するため１オクテット長の予備系ＬＴＲ識別子を用意し、０ｘ００の場合は通常のＬＴＲフレーム、０ｘＦＦの場合は第２ＬＴＲフレームと判断する。また、１：Ｎ経路冗長ネットワークのように予備系経路が複数経路存在するネットワークで各々の予備系経路を識別するため、３１オクテット目に１オクテット長の予備系経路識別子を用意し予備系経路毎に異なる値を付与することで各々の予備系経路を識別する。これはあくまで一例であり、通常のＬＴＭフレームと第２ＬＴＭフレームの識別方法、及び予備系経路が複数存在するネットワークでの予備経路識別方法を限定するものではない。
【００３０】
伝送装置は特殊な第２ＬＴＭフレームと第２ＬＴＲフレームを送信するために、以下の機能を有する。
【００３１】
第１の機能：ＬＴＭフレームのＰＡＤ領域等を使用し通常のＬＴＭフレームと区別が可能な特殊な第２ＬＴＭフレームをサポートする機能。
【００３２】
第２の機能：ＬＴＭフレーム受信後、後段にＬＴＭフレームを転送する際に転送対象ポートが経路冗長構成をとっているポートの場合、通常動作通り対象ポートに対しＬＴＭフレームを転送した後、予備系経路に対応するポートに対し、通常のＬＴＭフレームと区別が可能な第２ＬＴＭフレームを転送する機能。なお、１対Ｎ冗長で予備系経路が複数存在する場合は、フレーム内のＰＡＤ領域等にそれぞれの予備系経路を区別できる識別子を挿入する機能。
【００３３】
第３の機能：第２の機能の活性／非活性を外部コマンドで制御できる機能。
【００３４】
第４の機能：ＬＴＲフレームのＰＡＤ領域等を使用し通常のＬＴＲフレームと区別が可能な第２ＬＴＲフレームをサポートする機能。
【００３５】
第５の機能：第２ＬＴＭフレーム受信時にはターゲットＭＡＣアドレスの学習状態によらず第４の機能で定義した通常のＬＴＲフレームと区別が可能な第２ＬＴＲフレームをＬＴＭ送信元の伝送装置に返信する機能。
【００３６】
第６の機能：第２ＬＴＭフレーム受信時には第５の機能で記述した予備経路用ＬＴＲフレーム返信後、受信ポートが経路冗長構成をとっているポートの場合、受信したＬＴＭフレームを廃棄する機能。
【００３７】
第７の機能：第２ＬＴＭフレームと第２ＬＴＲフレームは冗長構成種別によらず予備系経路に対応するポートでもハードウェア的に送受信を可能とする機能。つまり、冗長構成の予備経路側ポートで受信したフレームを廃棄することでフレームの冗長受信を防ぐ冗長構成、又は予備経路側ポートで送信フレームを廃棄することでフレームの冗長受信を防ぐ冗長構成であっても第２ＬＴＭフレームと第２ＬＴＲフレームは対象外とし、送受信を可能とする機能。
【００３８】
第８の機能：ＬＴＭフレームの送信基点の伝送装置は通常のＬＴＲフレームと予備経路用ＬＴＲフレームを区別して受信順にＬＴＲ受信結果表示を行うことで運用系、予備系両経路の通信経路をユーザに通知することができる機能。
【００３９】
なお、第２ＬＴＭフレーム、第２ＬＴＲフレームの受信動作は上記以外の通常のＬＴＭフレーム又はＬＴＲフレーム受信動作と同様とする。
【００４０】
＜伝送装置が実行する各種処理のフローチャート＞
図１０は、伝送装置が実行する第２ＬＴＭ送信機能の活性又は非活性処理のフローチャートを示す。図１０において、ステップＳ１でユーザは外部コマンド受付部１１に対して第２ＬＴＭ送信機能活性又は非活性依頼を実施する。ステップＳ２で外部コマンド受付部１１は外部コマンド処理部１２に対して第２ＬＴＭ送信機能活性又は非活性依頼を送信する。
【００４１】
ステップＳ３で外部コマンド処理部１２はＥｔｈｅｒＯＡＭ制御部１４に対して第２ＬＴＭ送信機能活性又は非活性依頼を送信する。ステップＳ４でＥｔｈｅｒＯＡＭ制御部１４は受信した第２ＬＴＭ送信機能活性又は非活性依頼を基に第２ＬＴＭ送信活性状態情報格納部１４ａの第２ＬＴＭ送信活性状態情報を更新する。
【００４２】
ステップＳ５でＥｔｈｅｒＯＡＭ制御部１４は外部コマンド処理部１３に第２ＬＴＭ送信活性状態情報の更新完了を通知する。ステップＳ６で外部コマンド処理部１２は外部コマンド受付部１１を経由してユーザに対し第２ＬＴＭ送信機能活性又は非活性の完了をユーザに通知する。その後、この処理を終了する。
【００４３】
図１１は、伝送装置が実行するＬＴＭ送信処理のフローチャートを示す。図１１において、ステップＳ１１でユーザは外部コマンド受付部１１に対してＬＴＭ送信依頼を実施する。ステップＳ１２で外部コマンド受付部１１は外部コマンド処理部１２に対してＬＴＭ送信依頼を送信する。ステップＳ１３で外部コマンド処理部１２はＥｔｈｅｒＯＡＭ制御部１４に対してＬＴＭ送信依頼を送信する。
【００４４】
ステップＳ１４でＥｔｈｅｒＯＡＭ制御部１４はＬＴＭ送信依頼を解析し送信フレーム情報を構築する。ステップＳ１５でＥｔｈｅｒＯＡＭ制御部１４はＬＴＭ送信指示をハードウェア部２０に対して出す。ステップＳ１６でＥｔｈｅｒＯＡＭ制御部１４は規定時間だけＬＴＲ受信待ちを実施する。
【００４５】
ステップＳ１７でＥｔｈｅｒＯＡＭ制御部１４は通常ＬＴＲフレームと第２ＬＴＲフレームを区別した上でＬＴＲ受信結果を外部コマンド処理部１２に通知する。ステップＳ１８で外部コマンド処理部１２は外部コマンド受付部１１を経由してユーザに対し通常ＬＴＲフレームと第２ＬＴＲフレームを区別した上でＬＴＲ受信結果をユーザに通知する。その後、この処理を終了する。
【００４６】
図１２及び図１３は、伝送装置が実行するＬＴＭ受信処理のフローチャートを示す。図１２において、ステップＳ２１でハードウェア部２０はＯＡＭフレームを受信し、ＥｔｈｅｒＯＡＭ制御部１４にＯＡＭフレーム受信通知を送信する。ステップＳ２２でＥｔｈｅｒＯＡＭ制御部１４はＯＡＭ受信通知内容を解析し、解析結果から受信したＯＡＭフレームが通常のＬＴＭフレームの受信であるか、第２ＬＴＭフレームの受信であるかをステップＳ２３で判別し、通常のＬＴＭフレームの受信であればステップＳ２４に進む。
【００４７】
ステップＳ２４でＥｔｈｅｒＯＡＭ制御部１４はハードウェア部２０からＭＡＣ学習情報を読み出し、受信ＬＴＭフレームの宛先ＭＡＣアドレスを学習済か否かを判断し、受信ＬＴＭフレームの宛先ＭＡＣアドレスを学習済であればステップＳ２５からステップＳ２６に進む。
【００４８】
ステップＳ２６でＥｔｈｅｒＯＡＭ制御部１４はハードウェア部２０に対しＬＴＭ送信元装置へのＬＴＲ送信指示を実施する。その後、ステップＳ２７で宛先ＭＡＣアドレスが自装置ＭＡＣアドレスでなければ、ＥｔｈｅｒＯＡＭ制御部１４はハードウェア部２０に対し学習済ポートからのＬＴＭ送信指示を実施する。これにより、後段装置へのＬＴＭフレーム転送が行われる。
【００４９】
一方、ステップＳ２５で受信ＬＴＭフレームの宛先ＭＡＣアドレスを未学習であればステップＳ２８に進む。ステップＳ２８で宛先ＭＡＣアドレスが自装置ＭＡＣアドレスの場合は、ＥｔｈｅｒＯＡＭ制御部１４はハードウェア部２０に対しＬＴＭ送信元装置へのＬＴＲ送信指示を実施する。その後、ステップＳ２９で宛先ＭＡＣアドレスが自装置ＭＡＣでなければ、ＥｔｈｅｒＯＡＭ制御部１４はハードウェア部２０に対し全フラッディング対象ポートからのＬＴＭ送信指示を実施する。これにより、後段装置へのＬＴＭフレーム転送を行う。宛先ＭＡＣアドレスが自装置宛の場合は、後段装置へのＬＴＭフレーム転送を行わないために対象ＬＴＭフレームは廃棄される。
【００５０】
この後、ステップＳ３０でＥｔｈｅｒＯＡＭ制御部１４は第２ＬＴＭ活性状態情報格納部１４ａの第２ＬＴＭ活性状態情報がイネーブルかディスエーブルかを判別する。イネーブルであればステップＳ３１でＥｔｈｅｒＯＡＭ制御部１４は冗長切替制御部１３の冗長構成情報格納部１３ａからＬＴＭ転送先ポートの冗長構成情報の読み出しを実施する。その後、ステップＳ３２でＬＴＭ転送先ポートが冗長構成であるか非冗長構成であるかを判別する。ここで、冗長構成であればステップＳ３３でＥｔｈｅｒＯＡＭ制御部１４はハードウェア部２０に対して冗長構成の予備系経路に対応するポートからの第２ＬＴＭ送信指示を実施する。この場合、予備系経路が複数ある場合は経路を区別できる識別子をフレーム中に付与する。その後、この処理を終了する。
【００５１】
一方、ステップＳ２３で第２ＬＴＭフレームの受信であれば図１３のステップＳ４１に進む。図１３のステップＳ４１ではＥｔｈｅｒＯＡＭ制御部１４は冗長切替制御部１３の冗長構成情報格納部１３ａからＬＴＭ受信ポートの冗長構成情報の読み出しを実施する。そして、ＬＴＭ受信ポートが冗長構成であるか非冗長構成であるかを判別する。
【００５２】
非冗長構成であればステップＳ４２からステップＳ４３に進み、ＥｔｈｅｒＯＡＭ制御部１４はハードウェア部２０のＭＡＣ学習情報テーブル２０ａからＭＡＣ学習情報を読み出してＬＴＭフレームの宛先ＭＡＣを学習済か否かを判断し、ＬＴＭフレームの宛先ＭＡＣを学習済であればステップＳ４４からステップＳ４５に進む。
【００５３】
ステップＳ４５でＥｔｈｅｒＯＡＭ制御部１４はハードウェア部２０に対しＬＴＭ送信元装置への第２ＬＴＲ送信指示を実施する。その際、予備系経路識別子は受信ＬＴＭフレーム中の値と同値を付与する。次に、ステップＳ４６で宛先ＭＡＣが自装置ＭＡＣでなければＥｔｈｅｒＯＡＭ制御部１４はハードウェア部２０に対し学習済ポートからの第２ＬＴＭ送信指示を実施する。これにより、後段装置へのＬＴＭフレーム転送を行う。その後、図１２のステップＳ３０に進む。
【００５４】
一方、ＬＴＭフレームの宛先ＭＡＣを未学習であればステップＳ４４からステップＳ４７に進む。ステップＳ４７でＥｔｈｅｒＯＡＭ制御部１４はハードウェア部２０に対しＬＴＭ送信元装置への第２ＬＴＲ送信指示を実施する。その際、予備系経路識別子は受信ＬＴＭフレーム中の値と同値を付与する。次に、ステップＳ４８で宛先ＭＡＣが自装置ＭＡＣでなければＥｔｈｅｒＯＡＭ制御部１４はハードウェア部２０に対し全フラッディング対象ポートからの第２ＬＴＭ送信指示を実施する。これにより、後段装置へのＬＴＭフレーム転送を行う。宛先ＭＡＣが自装置宛の場合は、後段装置へのＬＴＭ転送フレームを行わないため対象ＬＴＭフレームを廃棄する。その後、図１２のステップＳ３０に進む。
【００５５】
ところで、ステップＳ４２で冗長構成であればステップＳ４９に進む。ステップＳ４９でＥｔｈｅｒＯＡＭ制御部１４はハードウェア部２０に対しＬＴＭ送信元装置への第２ＬＴＲ送信指示を実施する。その際、予備系経路識別子は受信ＬＴＭフレーム中の値と同値を付与する。次に、ステップＳ５０でＥｔｈｅｒＯＡＭ制御部１４は後段装置へのＬＴＭフレーム転送を行わないため対象ＬＴＭフレームを廃棄する。その後、図１２のステップＳ３０に進む。
【００５６】
＜第１実施形態＞
図３に通信ネットワークの一実施形態の構成図を示す。図３において、伝送装置３０，伝送装置８０間で通信しており、伝送装置４０，伝送装置７０間はＥｔｈｅｒＯＡＭのＣＣ機能等を用いてエンド・ツー・エンド間で運用系：１経路／予備系：１経路の経路冗長構成をとっており、伝送装置４０，伝送装置５０−１，伝送装置５０−２，伝送装置５０−３，伝送装置７０の経路が現状の運用系経路であり、伝送装置４０，伝送装置６０−１，伝送装置６０−２，伝送装置６０−３，伝送装置７０の経路が現状の予備系経路とする。
【００５７】
この図３に示す状態から図６に示すように、伝送装置５０−２，伝送装置５０−３間で障害が発生し、運用系経路が伝送装置４０，伝送装置６０−１，伝送装置６０−２，伝送装置６０−３，伝送装置７０に切り替り、伝送装置３０，伝送装置８０間の通信を再開した場合の第１実施形態の障害発生箇所特定手順について説明する。
【００５８】
障害発生区間特定のための事前設定として、伝送装置４０，Ｅに対し前述の第３の機能を用いて第２ＬＴＭ送信機能の活性化を行う（図１０の処理）。なお、この第３の機能の設定はネットワーク構築時点で経路冗長機能を設定している伝送装置に対して事前に設定しておいても良い。
【００５９】
次に、伝送装置３０が伝送装置８０を宛先としてリンクトレースを実施した場合の各伝送装置の動作を図１４と共に説明する。
【００６０】
１）ユーザは伝送装置３０に対し伝送装置８０を宛先としてリンクトレースを実施する。
【００６１】
２）伝送装置３０はポート１からＬＴＭフレームを送信する（図１１の処理）。
【００６２】
３）伝送装置４０はポート１からＬＴＭフレームを受信し、伝送装置８０のＭＡＣをポート２で学習していることからＬＴＲフレームを伝送装置３０に対し返信した後、ポート２にポート１から受信したＬＴＭフレームを転送する（図１２のステップＳ２６，Ｓ２７の処理）。伝送装置４０は第２ＬＴＭ活性状態が活性化されており、ＬＴＭ転送先ポートであるポート２が冗長構成ポートであることから冗長構成の予備系経路に対応するポートであるポート３から第２ＬＴＭフレーム（図中、ＬＴＭ（Ｐ）で示す）を送信する（図１２のステップＳ３１〜Ｓ３３の処理）。
【００６３】
次に、伝送装置５０−１、伝送装置５０−２、伝送装置５０−３、伝送装置７０側ルートの動作を示す。
【００６４】
４−Ａ）伝送装置５０−１はポート１から第２ＬＴＭフレームを受信し、第２ＬＴＭフレームであることから伝送装置８０についてのＭＡＣ学習状態によらず伝送装置３０に対し第２ＬＴＲフレーム（図中、ＬＴＲ（Ｐ）で示す）を返信した後、ポート２にポート１から受信した第２ＬＴＭフレームを転送する（図１３のステップＳ４５〜Ｓ４８の処理）。
【００６５】
５−Ａ）伝送装置５０−２はポート１から第２ＬＴＭフレームを受信し、第２ＬＴＭフレームであることから伝送装置８０についてのＭＡＣ学習状態によらず伝送装置３０に対し第２ＬＴＲフレームを返信した後、ポート２にポート１から受信した第２ＬＴＭフレームを転送する（図１３のステップＳ４５〜Ｓ４８の処理）。
【００６６】
なお、伝送装置５０−２のポート２から送信された第２ＬＴＭフレームは経路障害により伝送装置５０−３には届かない。
【００６７】
次に、伝送装置６０−１、伝送装置６０−２、伝送装置６０−３、伝送装置７０側ルートの動作を示す。
【００６８】
４−Ｂ）伝送装置６０−１はポート１からＬＴＭフレームを受信し、伝送装置８０のＭＡＣをポート２で学習していることからＬＴＲフレームを伝送装置３０に対し返信した後、ポート２にポート１から受信したＬＴＭフレームを転送する（図１２のステップＳ２６，Ｓ２７の処理）。
【００６９】
５−Ｂ）伝送装置６０−２はポート１からＬＴＭフレームを受信し、伝送装置８０のＭＡＣをポート２で学習していることからＬＴＲフレームを伝送装置３０に対し返信した後、ポート２にポート１から受信したＬＴＭフレームを転送する（図１２のステップＳ２６，Ｓ２７の処理）。
【００７０】
６−Ｂ）伝送装置６０−３はポート１からＬＴＭフレームを受信し、伝送装置８０のＭＡＣをポート２で学習していることからＬＴＲフレームを伝送装置３０に対し返信した後、ポート２にポート１から受信したＬＴＭフレームを転送する（図１２のステップＳ２６，Ｓ２７の処理）。
【００７１】
次に、伝送装置７０、伝送装置８０、伝送装置３０の動作を示す。
【００７２】
７）伝送装置７０はポート２からＬＴＭフレームを受信し、伝送装置８０のＭＡＣをポート１で学習していることからＬＴＲフレームを伝送装置３０に対し返信した後、ポート１にポート２から受信したＬＴＭフレームを転送する（図１２のステップＳ２６，Ｓ２７の処理）。
【００７３】
８）伝送装置８０はポート１からＬＴＭフレームを受信し、自伝送装置宛であることからＬＴＲフレームを伝送装置３０に対し返信した後、ポート１から受信したＬＴＭフレームを廃棄する（図１２のステップＳ２８，Ｓ２９の処理）。
【００７４】
９）伝送装置３０は通常のＬＴＲフレームを伝送装置４０、伝送装置６０−１、伝送装置６０−２、伝送装置６０−３、伝送装置７０、伝送装置８０、から順に受信し、第２ＬＴＲフレームを伝送装置５０−１、伝送装置５０−２の順に受信する。伝送装置３０は通常のＬＴＲフレームと第２ＬＴＲフレームを区別して受信順にユーザに通知することで、ユーザは運用系通信経路及び予備系経路情報を確認し、伝送装置５０−３、伝送装置７０からの第２ＬＴＲフレームの返信がないことから伝送装置５０−２以降が障害発生区間であることが分かる。その後、伝送装置８０から伝送装置３０宛にもリンクトレースを実施することで伝送装置５０−２，伝送装置５０−３間で障害が発生したことを認識することができる。
【００７５】
以上、冗長切替え後の旧運用系障害発生区間を特定する実施形態を示したが、障害発生状態に関わらず予備系経路の通信経路確認も可能であり、その実施形態について以下に説明する。
【００７６】
＜第２実施形態＞
図１４に示す状態から図１５に示すように、伝送装置５０−２，伝送装置５０−３間の障害が回復した場合の第２実施形態について説明する。予備系通信経路確認、障害発生区間特定のための事前設定として、伝送装置４０，Ｅに対し前述の第３の機能を用いて第２ＬＴＭ送信機能の活性化を行う（図１０の処理）。
【００７７】
次に、伝送装置３０が伝送装置８０を宛先としてリンクトレースを実施した場合の第２実施形態の各伝送装置の動作を図１５と共に説明する。
【００７８】
１）ユーザは伝送装置３０に対し伝送装置８０を宛先としてリンクトレースを実施する。
【００７９】
２）伝送装置３０はポート１からＬＴＭフレームを送信する（図１１の処理）。
【００８０】
３）伝送装置４０はポート１からＬＴＭフレームを受信し、伝送装置８０のＭＡＣをポート２で学習していることからＬＴＲフレームを伝送装置３０に対し返信した後、ポート２にポート１から受信したＬＴＭフレームを転送する（図１２のステップＳ２６，Ｓ２７の処理）。伝送装置４０は第２ＬＴＭ活性状態が活性化されており、ＬＴＭ転送先ポートであるポート２が冗長構成ポートであることから冗長構成の予備系経路に対応するポートであるポート３から第２ＬＴＭフレームを送信する（図１２のステップＳ３１〜Ｓ３３の処理）。
【００８１】
次に、伝送装置５０−１、伝送装置５０−２、伝送装置５０−３、伝送装置７０側ルートの動作を示す。
【００８２】
４−Ａ）伝送装置５０−１はポート１から第２ＬＴＭフレームを受信し、第２ＬＴＭフレームであることから伝送装置８０についてのＭＡＣ学習状態によらず伝送装置３０に対し第２ＬＴＲフレームを返信した後、ポート２にポート１から受信した第２ＬＴＭフレームを転送する（図１３のステップＳ４５〜Ｓ４８の処理）。
【００８３】
５−Ａ）伝送装置５０−２はポート１から第２ＬＴＭフレームを受信し、第２ＬＴＭフレームであることから伝送装置８０についてのＭＡＣ学習状態によらず伝送装置３０に対し第２ＬＴＲフレームを返信した後、ポート２にポート１から受信した第２ＬＴＭフレームを転送する（図１３のステップＳ４５〜Ｓ４８の処理）。
【００８４】
６−Ａ）伝送装置５０−３はポート１から第２ＬＴＭフレームを受信し、第２ＬＴＭフレームであることから伝送装置８０についてのＭＡＣ学習状態によらず伝送装置３０に対し第２ＬＴＲフレームを返信した後、ポート２にポート１から受信した第２ＬＴＭフレームを転送する（図１３のステップＳ４５〜Ｓ４８の処理）。
【００８５】
次に、伝送装置６０−１、伝送装置６０−２、伝送装置６０−３、伝送装置７０側ルートの動作を示す。
【００８６】
４−Ｂ）伝送装置６０−１はポート１からＬＴＭフレームを受信し、伝送装置８０のＭＡＣをポート２で学習していることからＬＴＲフレームを伝送装置３０に対し返信した後、ポート２にポート１から受信したＬＴＭフレームを転送する（図１２のステップＳ２６，Ｓ２７の処理）。
【００８７】
５−Ｂ）伝送装置６０−２はポート１からＬＴＭフレームを受信し、伝送装置８０のＭＡＣをポート２で学習していることからＬＴＲフレームを伝送装置３０に対し返信した後、ポート２にポート１から受信したＬＴＭフレームを転送する（図１２のステップＳ２６，Ｓ２７の処理）。
【００８８】
６−Ｂ）伝送装置６０−３はポート１からＬＴＭフレームを受信し、伝送装置８０のＭＡＣをポート２で学習していることからＬＴＲフレームを伝送装置３０に対し返信した後、ポート２にポート１から受信したＬＴＭフレームを転送する（図１２のステップＳ２６，Ｓ２７の処理）。
【００８９】
次に、伝送装置７０、伝送装置８０、伝送装置３０の動作を示す。
【００９０】
７）伝送装置７０はポート２からＬＴＭフレームを受信し、伝送装置８０のＭＡＣをポート１で学習していることからＬＴＲフレームを伝送装置３０に対し返信した後、ポート１にポート２から受信したＬＴＭフレームを転送する（図１２のステップＳ２６，Ｓ２７の処理）。また、伝送装置７０はポート３から第２ＬＴＭフレームを受信し、第２ＬＴＭフレームであることから伝送装置８０についてのＭＡＣ学習状態によらず伝送装置３０に対し第２ＬＴＲフレームを返信した後、第２ＬＴＭフレーム受信ポートであるポート３が経路冗長構成ポートであることから受信ＬＴＭフレームは後段伝送装置に転送せず伝送装置７０で廃棄する（図１３のステップＳ４９，Ｓ５０の処理）。
【００９１】
８）伝送装置８０はポート１からＬＴＭフレームを受信し、自伝送装置宛であることからＬＴＲフレームを伝送装置３０に対し返信した後、ポート１から受信したＬＴＭフレームを廃棄する（図１２のステップＳ２８，Ｓ２９の処理）。
【００９２】
９）伝送装置３０は通常のＬＴＲフレームを伝送装置４０、伝送装置６０−１、伝送装置６０−２、伝送装置６０−３、伝送装置７０、伝送装置８０、から順に受信し、第２ＬＴＲフレームを伝送装置５０−１、伝送装置５０−２、伝送装置５０−３、伝送装置７０の順に受信する。伝送装置３０は通常のＬＴＲフレームと第２ＬＴＲフレームを区別して受信順にユーザに通知することで、ユーザは運用系通信経路及び予備系経路情報を確認することができる。
【００９３】
＜第３実施形態＞
第１，第２実施形態では運用系：１経路／予備系：１経路の経路冗長構成を示したが、図１６に示すように、運用系：１経路／予備系：Ｎ経路の経路冗長構成である第３実施形態においても予備系通信経路の確認及び予備系通信経路上の障害区間特定が行える。
【００９４】
図１６において、予備系通信経路確認、障害発生区間特定のための事前設定として、伝送装置４０，Ｅに対して第３の機能を用いて第２ＬＴＭ送信機能の活性化を行う（図１０の処理）。
【００９５】
次に、伝送装置３０が伝送装置８０を宛先としてリンクトレースを実施した後の各伝送装置の動作を図１６と共に説明する。
【００９６】
１）ユーザは伝送装置３０に対し伝送装置８０を宛先としてリンクトレースを実施する。
【００９７】
２）伝送装置３０はポート１からＬＴＭフレームを送信する（図１１の処理）。
【００９８】
３）伝送装置４０はポート１からＬＴＭフレームを受信し、伝送装置８０のＭＡＣをポート２で学習していることからＬＴＲフレームを伝送装置３０に対し返信した後、ポート２にポート１から受信したＬＴＭフレームを転送する（図１２のステップＳ２６，Ｓ２７の処理）。伝送装置４０は第２ＬＴＭ活性状態が活性化されており、ＬＴＭ転送先ポートであるポート２が冗長構成ポートであることから冗長構成の予備系経路に対応するポートであるポート３、ポート４から第２ＬＴＭフレームを送信する（図１２のステップＳ３１〜Ｓ３３の処理）。その際にポート３、ポート４から送信する第２ＬＴＭフレームにはそれぞれ異なる予備系経路識別子を付与する。
【００９９】
次に、伝送装置５０−１、伝送装置５０−２、伝送装置５０−３、伝送装置７０側ルートの動作を示す。
【０１００】
４−Ａ）伝送装置５０−１はポート１から第２ＬＴＭフレームを受信し、第２ＬＴＭフレームであることから伝送装置８０についてのＭＡＣ学習状態によらず伝送装置３０に対し第２ＬＴＲフレームを返信した後、ポート２にポート１から受信した第２ＬＴＭフレームを転送する（図１３のステップＳ４５〜Ｓ４８の処理）。
【０１０１】
５−Ａ）伝送装置５０−２はポート１から第２ＬＴＭフレームを受信し、第２ＬＴＭフレームであることから伝送装置８０についてのＭＡＣ学習状態によらず伝送装置３０に対し第２ＬＴＲフレームを返信した後、ポート２にポート１から受信した第２ＬＴＭフレームを転送する（図１３のステップＳ４５〜Ｓ４８の処理）。
【０１０２】
６−Ａ）伝送装置５０−３はポート１から第２ＬＴＭフレームを受信し、第２ＬＴＭフレームであることから伝送装置８０についてのＭＡＣ学習状態によらず伝送装置３０に対し第２ＬＴＲフレームを返信した後、ポート２にポート１から受信した第２ＬＴＭフレームを転送する（図１３のステップＳ４５〜Ｓ４８の処理）。
【０１０３】
次に、伝送装置６０−１、伝送装置６０−２、伝送装置６０−３、伝送装置７０側ルートの動作を示す。
【０１０４】
４−Ｂ）伝送装置６０−１はポート１からＬＴＭフレームを受信し、伝送装置８０のＭＡＣをポート２で学習していることからＬＴＲフレームを伝送装置３０に対し返信した後、ポート２にポート１から受信したＬＴＭフレームを転送する（図１２のステップＳ２６，Ｓ２７の処理）。
【０１０５】
５−Ｂ）伝送装置６０−２はポート１からＬＴＭフレームを受信し、伝送装置８０のＭＡＣをポート２で学習していることからＬＴＲフレームを伝送装置３０に対し返信した後、ポート２にポート１から受信したＬＴＭフレームを転送する（図１２のステップＳ２６，Ｓ２７の処理）。
【０１０６】
６−Ｂ）伝送装置６０−３はポート１からＬＴＭフレームを受信し、伝送装置８０のＭＡＣをポート２で学習していることからＬＴＲフレームを伝送装置３０に対し返信した後、ポート２にポート１から受信したＬＴＭフレームを転送する（図１２のステップＳ２６，Ｓ２７の処理）。
【０１０７】
次に、伝送装置９０−１、伝送装置９０−２、伝送装置９０−３、伝送装置７０側ルートの動作を示す。
【０１０８】
４−Ａ）伝送装置９０−１はポート１から第２ＬＴＭフレームを受信し、第２ＬＴＭフレームであることから伝送装置８０についてのＭＡＣ学習状態によらず伝送装置３０に対し第２ＬＴＲフレームを返信した後、ポート２にポート１から受信した第２ＬＴＭフレームを転送する（図１３のステップＳ４５〜Ｓ４８の処理）。
【０１０９】
５−Ａ）伝送装置９０−２はポート１から第２ＬＴＭフレームを受信し、第２ＬＴＭフレームであることから伝送装置８０についてのＭＡＣ学習状態によらず伝送装置３０に対し第２ＬＴＲフレームを返信した後、ポート２にポート１から受信した第２ＬＴＭフレームを転送する（図１３のステップＳ４５〜Ｓ４８の処理）。
【０１１０】
６−Ａ）伝送装置９０−３はポート１から第２ＬＴＭフレームを受信し、第２ＬＴＭフレームであることから伝送装置８０についてのＭＡＣ学習状態によらず伝送装置３０に対し第２ＬＴＲフレームを返信した後、ポート２にポート１から受信した第２ＬＴＭフレームを転送する（図１３のステップＳ４５〜Ｓ４８の処理）。
【０１１１】
次に、伝送装置７０、伝送装置８０、伝送装置３０の動作を示す。
【０１１２】
７）伝送装置７０はポート２からＬＴＭフレームを受信し、伝送装置８０のＭＡＣをポート１で学習していることからＬＴＲフレームを伝送装置３０に対し返信した後、ポート１にポート２から受信したＬＴＭフレームを転送する（図１２のステップＳ２６，Ｓ２７の処理）。また、伝送装置７０はポート３から第２ＬＴＭフレームを受信し、第２ＬＴＭフレームであり伝送装置８０についてのＭＡＣ学習状態によらず伝送装置３０に対し第２ＬＴＲフレームを返信した後、第２ＬＴＭフレーム受信ポートであるポート３が経路冗長構成ポートであることから受信ＬＴＭフレームは後段伝送装置に転送せず伝送装置７０で廃棄する（図１３のステップＳ４９，Ｓ５０の処理）。また、伝送装置７０はポート４から第２ＬＴＭフレームを受信し、第２ＬＴＭフレームであり伝送装置８０についてのＭＡＣ学習状態によらず伝送装置３０に対し第２ＬＴＲフレームを返信した後、第２ＬＴＭフレーム受信ポートであるポート４が経路冗長構成ポートであることから受信ＬＴＭフレームは後段伝送装置に転送せず伝送装置７０で廃棄する（図１３のステップＳ４９，Ｓ５０の処理）。
【０１１３】
８）伝送装置８０はポート１からＬＴＭフレームを受信し、自伝送装置宛であることからＬＴＲフレームを伝送装置３０に対し返信した後、ポート１から受信したＬＴＭフレームを廃棄する（図１２のステップＳ２８，Ｓ２９の処理）。
【０１１４】
９）伝送装置３０は通常のＬＴＲフレームを伝送装置４０、伝送装置６０−１、伝送装置６０−２、伝送装置６０−３、伝送装置７０、伝送装置８０、から順に受信する。また、伝送装置３０は予備系経路識別子１が付いた第２ＬＴＲフレームを伝送装置５０−１、伝送装置５０−２、伝送装置５０−３、伝送装置７０の順に受信し、予備系経路識別子２が付いた第２ＬＴＲフレームを伝送装置９０−１、伝送装置９０−２、伝送装置９０−３、伝送装置７０の順に受信する。伝送装置３０は通常のＬＴＲフレームと予備系経路識別子毎の第２ＬＴＲフレームを区別して受信順にユーザに通知することで、ユーザは運用系通信経路及び予備系経路情報を確認することができる。
（付記１）
通信ネットワークを構成する伝送装置であって、
受信した第一のリンクトレースフレームを目標の伝送装置に転送する転送対象ポートが経路冗長構成であるとき、前記第一のリンクトレースフレームを冗長構成の運用系経路ポートから転送し、前記第一のリンクトレースフレームと区別可能な第二のリンクトレースフレームを冗長構成の予備系経路に対応するポートから転送するリンクトレースフレーム転送部と、
前記第二のリンクトレースフレームを受信したとき、前記第一のリンクトレースフレームに対するリンクトレース応答フレームと区別可能な第二のリンクトレース応答フレームを前記起点の伝送装置に送信するリンクトレース応答フレーム送信部と、
を有することを特徴とする伝送装置。
（付記２）
付記１記載の伝送装置において、
前記第二のリンクトレースフレーム及び前記第二のリンクトレース応答フレームそれぞれは、複数の予備経路を区別する識別子を含む
ことを特徴とする伝送装置。
（付記３）
付記２記載の伝送装置において、
第二のリンクトレースフレームの受信ポートが冗長構成であるとき、受信した前記第二のリンクトレースフレームを廃棄するリンクトレースフレーム廃棄部、
を有することを特徴とする伝送装置。
（付記４）
付記３記載の伝送装置において、
前記リンクトレースフレーム転送部の活性又は非活性を制御する活性制御部、
を有することを特徴とする伝送装置。
（付記５）
経路冗長がとられた通信ネットワーク上で、起点の伝送装置から目標の伝送装置まで第一のリンクトレースフレームを運用系経路に転送し、前記第一のリンクトレースフレームを受信した伝送装置から前記起点の伝送装置にリンクトレース応答フレームを送信して通信ネットワークの通信経路を確認する通信経路確認方法であって、
前記第一のリンクトレースフレームと区別可能な第二のリンクトレースフレームを予備系経路に転送し、前記第二のリンクトレースフレームを受信した伝送装置から前記起点の伝送装置に前記リンクトレース応答フレームと区別可能な第二のリンクトレース応答フレームを送信する
ことを特徴とする通信経路確認方法。
（付記６）
付記５記載の通信経路確認方法において、
前記第二のリンクトレースフレーム及び前記第二のリンクトレース応答フレームそれぞれは、複数の予備経路を区別する識別子を含む
ことを特徴とする通信経路確認方法。
（付記７）
付記６記載の通信経路確認方法において、
受信ポートが冗長構成の伝送装置で、前記運用系経路から第一のリンクトレースフレームを受信したのち前記予備経路から前記第二のリンクトレースフレームを受信したとき、受信した前記第二のリンクトレースフレームを廃棄する
ことを特徴とする通信経路確認方法。
（付記８）
付記４記載の伝送装置において、
受信した前記リンクトレース応答フレームと前記第二のリンクトレース応答フレームとを区別してユーザに通知する応答通知部、
を有することを特徴とする伝送装置。
（付記９）
付記７記載の通信経路確認方法において、
受信した前記リンクトレース応答フレームと前記第二のリンクトレース応答フレームとを区別してユーザに通知する
ことを特徴とする通信経路確認方法。
【符号の説明】
【０１１５】
１０  ファームウェア部
１１  外部コマンド受付部
１２  外部コマンド処理部
１３  冗長切替制御部
１３ａ  冗長構成情報格納部
１４  ＥｔｈｅｒＯＡＭ制御部
１４ａ  第２ＬＴＭ活性状態情報格納部
１５  警報監視部
２０  ハードウェア部
２０ａ  ＭＡＣ学習情報テーブル
【図１】
0005410946.tif 000002
【図２】
0005410946.tif 000003
【図３】
0005410946.tif 000004
【図４】
0005410946.tif 000005
【図５】
0005410946.tif 000006
【図６】
0005410946.tif 000007
【図７】
0005410946.tif 000008
【図８】
0005410946.tif 000009
【図９】
0005410946.tif 000010
【図１０】
0005410946.tif 000011
【図１１】
0005410946.tif 000012
【図１２】
0005410946.tif 000013
【図１３】
0005410946.tif 000014
【図１４】
0005410946.tif 000015
【図１５】
0005410946.tif 000016
【図１６】
0005410946.tif 000017